(57)【要約】【課題】  キャッシュカード等がスキミングされ、偽造カードを作製されることを防止しうるカード入れを提供する。【解決手段】  カード収納部を有するカード入れ本体がシート状基材により形成され、上記シート状基材には、スキミング装置から発信される電磁波を遮蔽しうるシールド部が設けられている。上記シールド部として金属皮膜部が上記シート状基材の表面を被覆する状態に形成されている。上記金属皮膜部は、無電解メッキにより、又は、金属を蒸着させることにより上記シート状基材の表面に形成されている。上記シールド部は２枚のシート状基材の間に電磁波防止シートが挟まれた状態に配置されることにより構成される場合もある。【選択図】  図２
0003112135.tif 000002
【実用新案登録請求の範囲】
【請求項１】
カード収納部を有するカード入れ本体がシート状基材により形成され、上記シート状基材には、スキミング装置から発信される電磁波を遮蔽しうるシールド部が設けられたことを特徴とするカード入れ。
【請求項２】
上記シールド部として金属皮膜部が上記シート状基材の表面を被覆する状態に形成されていることを特徴とする請求項１記載のカード入れ。
【請求項３】
上記金属皮膜部は無電解メッキにより形成されていることを特徴とする請求項２記載のカード入れ。
【請求項４】
上記金属皮膜部は、金属を蒸着させることにより上記シート状基材の表面に形成されていることを特徴とする請求項２記載のカード入れ。
【請求項５】
上記シート状基材は合成樹脂地であることを特徴とする請求項１〜４記載のカード入れ。
【請求項６】
上記シート状基材は皮革地であることを特徴とする請求項１〜４記載のカード入れ。
【請求項７】
上記シールド部は２枚のシート状基材の間に電磁波防止シートが挟まれた状態に配置されることにより構成され、上記電磁波防止シートを間に挟んだ上記シート状基材が上記カード入れ本体における上記カード収納部の前後にそれぞれ配置されていることを特徴とする請求項１記載のカード入れ。
【請求項８】
上記カード収納部は、２枚の方形のシート状基材が重ね合わされ、その周辺部の三辺部が接合され、残り一辺部が接合されずに開口されて、ポケット状に形成されていることを特徴とする請求項１〜７記載のカード入れ。
【請求項９】
上記カード収納部の開口部は、上記シート状基材における一方の長辺部に配置されていることを特徴とする請求項８記載のカード入れ。
【請求項１０】
上記カード収納部の開口部は、上記シート状基材における一方の短辺部に配置されていることを特徴とする請求項８記載のカード入れ。
【考案の詳細な説明】
【技術分野】
【０００１】
本考案はカード入れに係り、特に、キャッシュカード等のデータがスキミングされることを防止しうるカード入れに関する。
【背景技術】
【０００２】
近年、キャッシュカード等の暗証番号等のデータがスキミングされ、上記キャッシュカード等のデータがコピーされた偽造カードが作製され、上記偽造カードを使用してＡＴＭから現金が不当に引き出されるという被害が増えている。
【０００３】
キャッシュカード等はカード入れに収納され、さらに上記カード入れは上着の内ポケット等に収納されて所持されることが多い。
【０００４】
一方、上記スキミングを行う装置は、電磁波をキャッシュカード等に当てることにより非接触でキャッシュカード等からデータを読み取れるように構成されている。
【０００５】
従って、スキミングを行う者は、カード所持者に接近してスキミング装置のリーダを作動させるだけで、カード所持者に気づかれることなく、容易にスキミングを行うことができる。
【０００６】
これに対し、従来のカード入れは、スキミングを防止するための手段が備えられておらず、スキミングを防止することは困難であった。
【０００７】
従って、スキミングを防止しうる有効な対策が強く望まれている。
【０００８】
本出願人は、スキミングを防止しうるカード入れについて先行技術を調査したが、関連する先行技術文献を見出すことはできなかった。
【考案の開示】
【考案が解決しようとする課題】
【０００９】
そこで本考案の課題は、カードがスキミングされ、偽造カードを作製されることを防止しうるカード入れを提供することにある。
【課題を解決するための手段】
【００１０】
上記課題を解決するために、請求項１記載の本考案に係るカード入れは、カード収納部を有するカード入れ本体がシート状基材により形成され、上記シート状基材には、スキミング装置から発信される電磁波を遮蔽しうるシールド部が設けられたことを特徴とする。
【００１１】
即ち、請求項１記載の本考案に係るカード入れにあっては、上記カード入れ本体における上記カード収納部にキャッシュカード等のカードが収納され、上記カード入れ本体を形成する上記シート状基材に設けられた上記シールド部によりスキミング装置から発信される電磁波が遮蔽され、これにより上記カードが上記電磁波の影響を免れ、上記カードから暗証番号等のデータが読み取られるのを防止することができる。
【００１２】
また、請求項２記載の本考案に係るカード入れは、上記シールド部として金属皮膜部が上記シート状基材の表面を被覆する状態に形成されていることを特徴とする。
【００１３】
即ち、請求項２記載の本考案に係るカード入れにあっては、上記シート状基材の表面を被覆する状態に形成されている上記金属皮膜部が上記シールド部として機能し、スキミング装置から発信される電磁波を上記金属皮膜部が遮蔽することになる。
【００１４】
また、請求項３記載の本考案に係るカード入れは、上記金属皮膜部が無電解メッキにより形成されていることを特徴とする。
【００１５】
即ち、請求項３記載の本考案に係るカード入れにあっては、上記金属皮膜部を形成する手段として、電気を使用せず、化学反応を利用して金属を上記シート状基材の表面に析出しうる無電解メッキ法が採用されている。
【００１６】
また、請求項４記載の本考案に係るカード入れは、上記金属皮膜部は、金属を蒸着させることにより上記シート状基材の表面に形成されていることを特徴とする。
【００１７】
即ち、請求項４記載の本考案に係るカード入れにあっては、上記金属皮膜部を形成する手段として、上記シート状基材を溶液に浸す必要のない乾式の蒸着法が採用されている。
【００１８】
また、請求項５記載の本考案に係るカード入れは、上記シート状基材は合成樹脂地であることを特徴とする。
【００１９】
即ち、請求項５記載の本考案に係るカード入れにあっては、上記シート状基材の素材として、安価で入手しやすく、かつ柔軟性を有して加工しやすい合成樹脂地が使用されている。
【００２０】
また、請求項６記載の本考案に係るカード入れは、上記シート状基材は皮革地であることを特徴とする。
【００２１】
即ち、請求項６記載の本考案に係るカード入れにあっては、上記シート状基材の素材として、各種袋物に使用されることが多く、質感の良好な皮革地が使用されている。
【００２２】
また、請求項７記載の本考案に係るカード入れは、上記シールド部が２枚のシート状基材の間に電磁波防止シートが挟まれた状態に配置されることにより構成され、上記電磁波防止シートを間に挟んだ上記シート状基材が上記カード入れ本体における上記カード収納部の前後にそれぞれ配置されていることを特徴とする。
【００２３】
即ち、請求項７記載の本考案に係るカード入れにあっては、上記シールド部が２枚のシート状基材の間に電磁波防止シートが挟まれた状態に配置されることにより構成されることから、上記電磁波防止シートは上記シート状基材により隠蔽されて保護されることになる。
【００２４】
また、請求項８記載の本考案に係るカード入れは、上記カード収納部は、２枚の方形のシート状基材が重ね合わされ、その周辺部の三辺部が接合され、残り一辺部が接合されずに開口されて、ポケット状に形成されていることを特徴とする。
【００２５】
即ち、請求項８記載の本考案に係るカード入れにあっては、上記カード収納部がポケット状に形成され、容易にカードの収納や取り出しができるように構成されている。
【００２６】
また、請求項９記載の本考案に係るカード入れは、上記カード収納部の開口部は、上記シート状基材における一方の長辺部に配置されていることを特徴とする。
【００２７】
即ち、請求項９記載の本考案に係るカード入れにあっては、上記カード収納部の開口部が上記シート状基材における一方の長辺部に配置されることにより、上記カード収納部の開口部を上向きにした場合に、上記シート状基材は横長形状になり、又、上記開口部の長さが大きくなる。
【００２８】
また、請求項１０記載の本考案に係るカード入れは、上記カード収納部の開口部は、上記シート状基材における一方の短辺部に配置されていることを特徴とする。
【００２９】
即ち、請求項１０記載の本考案に係るカード入れにあっては、上記カード収納部の開口部が上記シート状基材における一方の短辺部に配置されることにより、上記カード収納部の開口部を上向きにした場合に、上記シート状基材は縦長形状になり、又、上記開口部の長さが小さくなる。
【考案の効果】
【００３０】
請求項１記載の本考案に係るカード入れは、カード収納部を有するカード入れ本体がシート状基材により形成され、上記シート状基材には、スキミング装置から発信される電磁波を遮蔽しうるシールド部が設けられたことから、スキミング犯罪を行おうとする者がカード所持者に接近してスキミング装置のリーダから電磁波を発信しても、その電磁波が上記シールド部により遮蔽され、上記カード入れ本体に形成された上記カード収納部に収納されたカードへの電磁波の影響が及ばなくなるので、カードの暗証番号等のデータが不当に読み取られる虞がなく、スキミングが有効に防止される。従って、偽造カードが作製されてＡＴＭから現金が引き出されるという被害を防ぐことができる。
【００３１】
また、請求項２記載の本考案に係るカード入れは、上記シールド部として金属皮膜部が上記シート状基材の表面を被覆する状態に形成されていることから、上記金属皮膜部がスキミング装置から発信される電磁波を反射させて、上記カード収納部に収納されたカードへの電磁波の到達を効果的に阻止することができる。
【００３２】
また、請求項３記載の本考案に係るカード入れは、上記金属皮膜部は無電解メッキにより形成されていることから、上記シート状基材の素材が合成樹脂地や皮革地等の非金属であっても支障なく上記金属皮膜部を形成することができ、上記シート状基材の素材の制約が少ない。また、電源設備を必要としないので製造コストを低減し、安価で大量生産することができる。
【００３３】
また、請求項４記載の本考案に係るカード入れは、上記金属皮膜部は、金属を蒸着させることにより上記シート状基材の表面に形成されていることから、乾式メッキ製法により上記シート状基材の表面に上記金属皮膜部を容易に形成することができ、液に浸すことが不可能な素材でも上記シート状基材として使用することができる。
【００３４】
また、請求項５記載の本考案に係るカード入れは、上記シート状基材が合成樹脂地であることから、材料コストを抑えて上記カード入れ本体を安価で製造することができると共に、使用者にとっては柔軟性を有しかつ軽量であることから所持しやすく使いやすい。
【００３５】
また、請求項６記載の本考案に係るカード入れは、上記シート状基材が皮革地であることから、上記カード入れ本体が他の袋物と同様の風合い及び品質を有することができ、袋物として違和感なく使用することができる。
【００３６】
また、請求項７記載の本考案に係るカード入れは、上記シールド部が２枚のシート状基材の間に電磁波防止シートが挟まれた状態に配置されることにより構成され、上記電磁波防止シートを間に挟んだ上記シート状基材が上記カード入れ本体における上記カード収納部の前後にそれぞれ配置されていることから、上記電磁波防止シートは上記シート状基材により隠蔽されて保護され、上記電磁波防止シートの破損が防止される。従って、スキミング防止効果が損なわれにくくなり、耐久性が向上する。
【００３７】
また、請求項８記載の本考案に係るカード入れは、上記カード収納部は、２枚の方形のシート状基材が重ね合わされ、その周辺部の三辺部が接合され、残り一辺部が接合されずに開口されて、ポケット状に形成されていることから、上記カード収納部の構造が極めてシンプルで、容易に製造することができると共に、カードの収納や取り出しが容易で使いやすい。
【００３８】
また、請求項９記載の本考案に係るカード入れは、上記カード収納部の開口部は、上記シート状基材における一方の長辺部に配置されていることから、上記カード入れ本体を横向きにして使用することができる。
【００３９】
また、請求項１０記載の本考案に係るカード入れは、上記カード収納部の開口部は、上記シート状基材における一方の短辺部に配置されていることから、上記カード入れ本体を縦向きにして使用することができる。
【考案を実施するための最良の形態】
【００４０】
以下、図面を用いて本発明の実施の形態について説明する。
本実施の形態に係るカード入れ１１は、図１及び図３に示すように、カード収納部１３を有するカード入れ本体１２がシート状基材１４により形成され、上記シート状基材１４には、スキミング装置から発信される電磁波を遮蔽しうるシールド部１５が設けられている。
また、図２及び図４に示すように、上記シールド部１５として金属皮膜部１６が上記シート状基材１４の表面を被覆する状態に形成されている。
また、上記金属皮膜部１６は無電解メッキにより形成されている。
なお、他の実施形態では、上記金属皮膜部１６は、金属を蒸着させることにより上記シート状基材１４の表面に形成されている。
また、上記シート状基材１４は、図２に示すように、合成樹脂地１７により形成されている。
なお、他の実施形態では、図４に示すように、上記シート状基材１４は皮革地１８により形成されている。
また、図５及び図６に示す実施形態では、上記シールド部１５は２枚のシート状基材１４の間に電磁波防止シート２０が挟まれた状態に配置されることにより構成され、上記電磁波防止シート２０を間に挟んだ上記シート状基材１４が上記カード入れ本体１２における上記カード収納部１３の前後にそれぞれ配置されている。
また、上記カード収納部１３は、図１、図３及び図５に示すように、２枚の方形のシート状基材１４が重ね合わされ、その周辺部の三辺部が接合され、残り一辺部が接合されずに開口されて、ポケット状に形成されている。
また、上記カード収納部１３の開口部１９は、図１及び図５に示す実施形態では、上記シート状基材１４における一方の長辺部に配置されている。
なお、図３に示す実施形態では、上記カード収納部１３の開口部１９は、上記シート状基材１４における一方の短辺部に配置されている。
【実施例１】
【００４１】
図１及び図２は実施例１に係るカード入れ１１を示したものである。
本実施例１に係るカード入れ１１は、図１及び図２に示すように、カード入れ本体１２にキャッシュカードやクレジットカード等を収納しうるカード収納部１３が形成されている。
【００４２】
上記カード入れ本体１２は、図２に示すように、シート状基材１４により形成され、また、上記シート状基材１４の素材には合成樹脂地１７が使用されている。
【００４３】
上記カード収納部１３は、図１に示すように、ポケット状に形成されている。
即ち、２枚の方形のシート状基材１４が前後に重ね合わされ、その周辺部の三辺部が接合され、残り一辺部が接合されずに開口されて、ポケット状に形成されている。
【００４４】
上記カード収納部１３の開口部１９は、図１に示すように、上記カード入れ本体１２における一方の長辺部に配置されている。
【００４５】
上記カード収納部１３を有する上記カード入れ本体１２を形成する上記シート状基材１４には、図２に示すように、シールド部１５が設けられている。
【００４６】
上記シールド部１５は、スキミング装置から発信される電磁波を遮蔽しうる機能を有している。
【００４７】
上記シールド部１５は、図２に示すように、上記シート状基材１４の表面に、該シート状基材１４を被覆する金属皮膜部１６を形成することにより構成されている。
【００４８】
上記金属皮膜部１６は無電解メッキにより形成されている。
【００４９】
即ち、浴と称される金属塩を含む水溶液中に上記シート状基材１４が浸され、その表面に金属が析出（被覆）されている。
なお、上記の浴中には金属塩の他に、浴中の金属イオンに電子を付与して金属に戻すための還元剤と、メッキ浴中のＰＨの変動を緩和して化学反応を安定化するための緩衝剤という２種類の薬品が溶解されている。
また、上記金属塩はメッキしたい金属を含む塩で、本実施例１では銀を析出させるために硝酸銀が使用されている。
【実施例２】
【００５０】
図３及び図４は実施例２に係るカード入れ１１を示したものである。
本実施例２に係るカード入れ１１は、図３に示すように、カード入れ本体１２にキャッシュカードやクレジットカード等を収納しうるカード収納部１３が形成されている。
【００５１】
上記カード入れ本体１２は、図４に示すように、シート状基材１４により形成され、また、上記シート状基材１４の素材には皮革地１８が使用されている。
【００５２】
上記カード収納部１３は、図３に示すように、ポケット状に形成されている。
即ち、２枚の方形のシート状基材１４が前後に重ね合わされ、その周辺部の三辺部が接合され、残り一辺部が接合されずに開口されて、ポケット状に形成されている。
【００５３】
上記カード収納部１３の開口部１９は、図３に示すように、上記カード入れ本体１２における一方の短辺部に配置されている。
【００５４】
上記カード収納部１３を有する上記カード入れ本体１２を形成する上記シート状基材１４には、図４に示すように、シールド部１５が設けられている。
【００５５】
上記シールド部１５は、スキミング装置から発信される電磁波を遮蔽しうる機能を有している。
【００５６】
上記シールド部１５は、図４に示すように、上記シート状基材１４の表面に、該シート状基材１４を被覆する金属皮膜部１６を形成することにより構成されている。
【００５７】
上記金属皮膜部１６は蒸着法により形成されている。
上記蒸着法には物理的蒸着法（ＰＶＤ）と化学的蒸着法（ＣＶＤ）が存在するが、本実施例２では物理的蒸着法の一種である真空蒸着法を採用している。
即ち、金属（本実施例２ではアルミニウムを使用している）を飽和蒸気圧下で加熱して蒸発させ、上記シート状基材１４の表面に堆積することにより上記金属皮膜部１６が形成されている。
【実施例３】
【００５８】
図５及び図６は実施例３に係るカード入れ１１を示したものである。
本実施例３に係るカード入れ１１は、図５に示すように、カード入れ本体１２にキャッシュカードやクレジットカード等を収納しうるカード収納部１３が形成されている。
【００５９】
上記カード入れ本体１２は、図６に示すように、シート状基材１４と電磁波防止シート２０により形成されている。上記シート状基材１４の素材にはＰＶＣが使用され、上記電磁波防止シート２０には銀やアルミ等金属の薄膜が使用されている。
【００６０】
上記シールド部１５は、図６に示すように、２枚の上記シート状基材１４の間に電磁波防止シート２０がサンドイッチ状に挟まれた状態に配置されることにより構成されている。
【００６１】
上記カード入れ本体１２は、図５に示すように、２枚の上記シート状基材１４の間に上記電磁波防止シート２０を挟んで構成された一対の胴部材２１，２２が、それぞれ上記カード収納部１３の前後に配置されることにより形成されている。
前後に配置された上記一対の胴部材２１，２２の周辺部は、ＰＶＣ製の上記シート状基材１４の周縁部がウェルダー溶着されることにより接合されている。図中、符号２３が溶着部を指し示している。
【００６２】
上記カード収納部１３は、図５に示すように、ポケット状に形成されている。
即ち、前後に配置された上記一対の胴部材２１，２２の周辺部の三辺部が上記のようにウェルダー溶着されて接合され、残り一辺部が溶着されずに開口されて、ポケット状に形成されている。
【００６３】
上記カード収納部１３の開口部１９は、図５に示すように、上記カード入れ本体１２における一方の長辺部に配置されている。
【００６４】
上記胴部材２１，２２における２枚の上記シート状基材１４の間に挟まれるように形成された上記シールド部１５は、スキミング装置から発信される電磁波を遮蔽しうる機能を有している。
【００６５】
次に上記実施例の作用について説明する。
上記実施例１〜３に係るカード入れ１１は、上記カード入れ本体１２に設けられた上記カード収納部１３にキャッシュカード等のカードが収納されることになるが、上記カード入れ本体１２を形成する上記シート状基材１４にはシールド部１５が設けられていることから、上記シールド部１５によりスキミング装置から発信される電磁波が遮蔽されることになる。従って、スキミングにより上記カードの暗証番号等のデータが不当に読み取られることを防止することができる。
また、上記実施例１及び実施例２では、図２及び図４に示すように、上記シールド部１５として金属皮膜部１６が上記シート状基材１４の表面を被覆する状態に形成されるので、上記シールド部１５を容易に構成することができる。
また、上記実施例１では、上記金属皮膜部１６が無電解メッキにより形成されることから、電源設備を必要とせずに、安価で大量生産することができる。
また、上記実施例２では、上記金属皮膜部１６が金属を蒸着させることにより上記シート状基材１４の表面に形成されることから、乾式で、上記金属皮膜部１６を液に濡れると不都合な素材にも容易に形成することができる。
また、上記実施例１では、上記シート状基材１４は、合成樹脂地１７であることから、材料コストを抑えて上記カード入れ本体１２を安価で製造することができると共に、使用者にとっては柔軟性を有しかつ軽量であることから所持しやすく使いやすい。
また、上記実施例２では、上記シート状基材１４は皮革地１８であることから、上記カード入れ本体１２が他の袋物と同様の風合い及び品質を有し、袋物として違和感なく使用することができる。
また、上記実施例３では、図６に示すように、上記シールド部１５が２枚のシート状基材１４の間に電磁波防止シート２０が挟まれた状態に配置されることにより構成され、上記電磁波防止シート２０を間に挟んだ上記シート状基材１４が上記カード入れ本体１２における上記カード収納部１３の前後にそれぞれ配置されていることから、上記電磁波防止シート２０が上記シート状基材１４により隠蔽されて保護されることになる。
また、上記実施例１〜３に係る上記カード収納部１３は、図１、図３及び図５に示すように、２枚の方形のシート状基材１４が重ね合わされ、その周辺部の三辺部が接合され、残り一辺部が接合されずに開口されて、ポケット状に形成されていることから、カードの出し入れが容易で使いやすい。
また、上記実施例１及び実施例３では、上記カード収納部１３の開口部１９は、図１及び図５に示すように、上記シート状基材１４における一方の長辺部に配置されていることから、横向きにして使用でき、また、上記実施例２では、上記カード収納部１３の開口部１９は、上記シート状基材１４における一方の短辺部に配置されていることから縦向きで使用することができる。
【産業上の利用可能性】
【００６６】
本考案は、スキミングを防止する必要のあるカードを収納するためのカード入れに適用可能である。
【図面の簡単な説明】
【００６７】
【図１】実施例１に係るカード入れを示す斜視図である。
【図２】図１におけるＡ−Ａ線断面図である。
【図３】実施例２に係るカード入れを示す斜視図である。
【図４】図３におけるＢ−Ｂ線断面図である。
【図５】実施例３に係るカード入れを示す斜視図である。
【図６】図５におけるＣ−Ｃ線断面図である。
【符号の説明】
【００６８】
１１  カード入れ
１２  カード入れ本体
１３  カード収納部
１４  シート状基材
１５  シールド部
１６  金属皮膜部
１７  合成樹脂地
１８  皮革地
１９  開口部
２０  電磁波防止シート
２１  胴部材
２２  胴部材
２３  溶着部
【図１】
0003112135.tif 000003
【図２】
0003112135.tif 000004
【図３】
0003112135.tif 000005
【図４】
0003112135.tif 000006
【図５】
0003112135.tif 000007
【図６】
0003112135.tif 000008